(57)【要約】【課題】無線機のマイクロホン収納ケースのように姿勢の一定しないマイクロホン収納ケースに適用可能な音孔水溜まり防止構造を提供する。【解決手段】無線機のマイクロホン４を収納するケース１にマイクロホン用音孔１ａの側部からケース外表面に通じる通気孔１ｂを形成し、通気孔１ｂの開口部を弾性体の隔塞体６で空間部を介して覆い、隔塞体６をマイクロホン作動部材３で押圧するように構成した。【選択図】        図２
2004320103.tif 000002
【特許請求の範囲】
【請求項１】
無線機のマイクロホンを収納するケースにマイクロホン用音孔の側部からケース外表面に通じる通気孔を形成し、前記通気孔の開口部を弾性体の隔塞体で空間部を介して覆い、前記隔塞体をマイクロホン作動部材で押圧するように構成した無線機の音孔水溜まり防止構造。
【請求項２】
前記隔塞体をドーム形状とした請求項１の無線機の音孔水溜まり防止構造。
【請求項３】
前記隔塞体をベローズ形状とした請求項１の無線機の音孔水溜まり防止構造。
【請求項４】
前記隔塞体によりマイクロホン作動部材を付勢するように構成した請求項１から３のいずれかに記載した無線機の音孔水溜まり防止構造。
【発明の詳細な説明】
【０００１】
【発明の属する技術分野】
この発明は無線機に係わり、特に、マイクロホン用音孔に溜まった水の除去手段に関する。
【０００２】
【従来の技術】
従来の無線機のマイクロホンを収納するケースの構造を図６〜図８により説明する。図７に示す上側ケース１１は箱形に形成されており、下側ケースと合わせることによりマイクロホンを収容するケースが形成される。上側ケース１１には図６に示すように表面に通じるマイクロホン用の音孔１１ａが設けられ、上側ケース１１の側面にはマイクロホン作動レバー１２が回動可能に取り付けられている。
【０００３】
マイクロホン作動レバー１２は通常ＰＴＴ（ｐｒｅｓｓ  ｔｏ  ｔａｌｋ）と呼ばれており、これを押したときにマイクロホンを作動させることができるものである。このマイクロホンを収容するケースはコード９により無線機本体と接続される。
【０００４】
図７に示す上側ケース１１のボス１１ｂには防水ゴム５が挿入され、防水ゴム５の内側にマイクロホン４が配置される。上側ケース１１の孔１１ｃには防水ブッシュ７が嵌着される。上記孔１１ｃの内側にマイクロホン作動スイッチ８が固定されている。上側ケース１１に設けられた軸１１ｄはマイクロホン作動レバー１２の孔１２ｂと嵌合しマイクロホン作動レバー１２を回動可能に支持する。マイクロホン作動レバー１２のボス１２ａは防水ブッシュ７を挿通してマイクロホン作動スイッチ８の作動子に臨んでいる。なお、マイクロホン作動レバー１２を付勢する付勢部材や回動範囲を規制するストッパーは図示していない。
【０００５】
図８（ａ）に上記マイクロホン４が上側ケース１１に収容された状態を示している。マイクロホン４には防水ゴム４の孔および上側ケース１１に設けられた音孔１１ａを通して外部から音が伝えられる。この音孔１１ａは外部に開口しているので、雨などの水１３が溜まることがある。音孔１１ａに水が溜まると表面張力により図８（ｂ）に示すように上側ケース１１の表面にも水１３が溜まるようになる。このように音孔１１ａ内およびその開口部の周囲に水が溜まると送信時に音がこもるという問題があった。
【０００６】
特開２００１−１７７６１６号公報に提案されたインターホン子機ケースの水抜き構造では、マイク穴の下部に水抜溝を設け、前記マイク穴から水抜溝に表面張力により水を流すリブを設けている。このような水抜き構造は壁面に固定されてマイク穴が水平方向に設けられたインターホン子機ケースに適用できるが、無線機のマイクロホンを収納するケースのように姿勢が一定しておらず、マイク穴が垂直方向に向く可能性のあるマイクロホン収納ケースには適用できない。
【０００７】
【特許文献１】
特開２００１−１７７６１６号公報（第２頁、図１）
【０００８】
【発明が解決しようとする課題】
この発明は上記した点に鑑みてなされたものであって、その目的とするところは、無線機のマイクロホン収納ケースのように姿勢の一定しないマイクロホン収納ケースに適用可能な音孔水溜まり防止構造を提供することにある。
【０００９】
【課題を解決するための手段】
この発明の音孔水溜まり防止構造は、無線機のマイクロホンを収納するケースにマイクロホン用音孔の側部からケース外表面に通じる通気孔を形成し、前記通気孔の開口部を弾性体の隔塞体で空間部を介して覆い、前記隔塞体をマイクロホン作動部材で押圧するように構成したものである。
【００１０】
また、前記音孔水溜まり防止構造において、前記隔塞体をドーム形状としたものである。
【００１１】
また、同音孔水溜まり防止構造において、前記隔塞体をベローズ形状としたものである。
【００１２】
また、前記各音孔水溜まり防止構造において、前記隔塞体によりマイクロホン作動部材を付勢するように構成したものである。
【００１３】
【発明の実施の形態】
この発明の実施例を図面に基づいて説明する。図１はこの発明の第１の実施例である無線機の音孔水溜まり防止構造を示す分解斜視図、図２は同音孔水溜まり防止構造の要部を示すを示す断面図、図３は同音孔水溜まり防止構造の作動状態を示す斜視図である。
【００１４】
図１に示す上側ケース１は箱形に形成されており、下側ケースと合わせることにより図３に示すマイクロホンを収容するケース２が形成される。上側ケース１には図２および図３に示すように表面に通じるマイクロホン用の音孔１ａが設けられ、上側ケース１の側面にはマイクロホン作動レバー３が回動可能に取り付けられている。
【００１５】
従来例で説明した通り、マイクロホン作動レバー３すなわちＰＴＴは、これを押したときにマイクロホンを作動させることができるものである。このようなマイクロホンを収容するケースはコード９により無線機本体と接続される。
【００１６】
図１に示す上側ケース１のボス１ｃ内には防水ゴム５が挿入され、防水ゴム５の内側にマイクロホン４が配置される。本実施例の場合マイクロホン４としてＥＣＭ（ｅｌｅｃｔｒｉｃ  ｃｏｎｄｅｎｓｅｒ  ｍｉｃｒｏｐｈｏｎｅ）が用いられている。上側ケース１の孔１ｄには防水ブッシュ７が嵌着される。上記孔１ｄの内側にマイクロホン作動スイッチ８が固定される。
【００１７】
上側ケース１に設けられた軸１ｅはマイクロホン作動レバー３の孔３ｃと嵌合してマイクロホン作動レバー３を回動可能に支持する。マイクロホン作動レバー３の回動軸側ボス３ａは防水ブッシュ７を挿通してマイクロホン作動スイッチ８の作動子に臨んでいる。なお、マイクロホン作動レバー３を付勢する付勢部材や回動範囲を規制するストッパーは図示していない。なお、マイクロホン作動スイッチ８の作動子の弾力が強い場合は付勢部材を用いなくてもよい。
【００１８】
図２にも詳しく示すように、マイクロホン用の音孔１ａの側部からケース外表面に通じる通気孔１ｂが形成され、通気孔１ｂの開口部は弾性体の隔塞体であるドーム形状ゴム６で覆われている。ドーム形状ゴム６は上側ケース１に接着剤などで固着される。ドーム形状ゴム６はマイクロホン作動レバー３の先端側ボス３ｂで押されるが、ドーム形状ゴム６はその形状から弾力が強くマイクロホン作動レバー１を付勢する付勢部材を兼ねさせることもできる。
【００１９】
マイクロホン作動レバー３を押してマイクロホン作動スイッチ８を作動させマイクロホン４を能動状態とするときは、図２に示すように、ドーム形状ゴム６内の空気が矢印で示すように音孔１ａの開口部から吹き出され音孔１ａ内に溜まった水１３を外部に吹き飛ばす。
【００２０】
図３にマイクロホン作動レバー３が矢印方向に押されて水１３が吹き飛ばされる状態を示している。ケース２がどのような姿勢であっても音孔１ａ内の水が排出される。このときプシュと音が発生するので、マイクロホン作動レバー３を押した直後はマイクロホンをミュートしてもよい。このようにマイクロホンを使用するときは、音孔１ａに水が溜まっていないので音がこもることがない。
【００２１】
図４にこの発明の第２の実施例である無線機の音孔水溜まり防止構造の部分を示す。この例では、第１の実施例のドーム形状ゴム６の代わりにベローズ形状ゴム１０が用いられている。他の構成は第１の実施例と同様である。ドーム形状ゴム６は上側ケース１に固着する側が開口され、他の側に底が形成されている。
【００２２】
ベローズ形状ゴム１０の自然状態は図４の上側に描かれており、マイクロホン作動レバー３の回転軸側ボス３ａに押されると矢印で示すように圧縮される。このときベローズ形状ゴム１０の空気が音孔から噴出される。このように隔塞体をベローズ形状とすると噴出する空気量を多くして音孔内の水を完全に排出することができる。
【００２３】
図５にこの発明の第３の実施例である無線機の音孔水溜まり防止構造の部分を示す。この例では、第１の実施例のマイクロホン４とマイクロホン作動スイッチ８の位置が入れ替わり、ドーム形状ゴム６はマイクロホン作動レバー３の回転軸側ボス３ａで押され、マイクロホン作動スイッチ８はマイクロホン作動レバー３の先端側ボス３ｂで押される。このような構成により、マイクロホンが作動する前に音孔内の水を排出するように設計することが容易となる。
【００２４】
【発明の効果】
この発明の無線機の音孔水溜まり防止構造によれば、マイクロホンを収容するケースがどのような姿勢であっても、マイクロホンが使用されるときに音孔に溜まった水ず排出されるので音がこもることがない。
【図面の簡単な説明】
【図１】この発明の第１の実施例である無線機の音孔水溜まり防止構造を示す分解斜視図である。
【図２】図１におけるＢ−Ｂ断面を示す部分断面図である。
【図３】同音孔水溜まり防止構造の作動状態を示す斜視図である。
【図４】この発明の第２の実施例である無線機の音孔水溜まり防止構造を示す分解斜視図である。
【図５】この発明の第３の実施例である無線機の音孔水溜まり防止構造の要部を示す平面図である。
【図６】従来の無線機のマイクロホンケースを示す平面図である。
【図７】同マイクロホンケースの要部を示す分解斜視図である。
【図８】図８（ａ）は図７におけるＡ−Ａ断面を示す部分断面図、図８（ｂ）は図８に示す部分の他の状態を示す部分断面図である。
【符号の説明】
１  上側ケース、１ａ  音孔、１ｂ  通気孔、１ｃ  ボス、１ｄ  孔、
１ｅ  軸
２  ケース
３  マイクロホン作動レバー、３ａ  回動軸側ボス、３ｂ  先端側ボス、
３ｃ  孔
４  マイクロホン
５  防水用ゴム
６  ドーム形状ゴム
７  防水用ブッシュ
８  マイクロホン作動スイッチ
９  コード
１０  ベローズ形状ゴム
１１  上側ケース、１１ａ  音孔、１１ｂ  ボス、１１ｃ  孔、１１ｄ  軸
１２  マイクロホン作動レバー、１２ａ  ボス、１２ｂ  孔
１３  水
【図１】
2004320103.tif 000003
【図２】
2004320103.tif 000004
【図３】
2004320103.tif 000005
【図４】
2004320103.tif 000006
【図５】
2004320103.tif 000007
【図６】
2004320103.tif 000008
【図７】
2004320103.tif 000009
【図８】
2004320103.tif 000010